(57)【特許請求の範囲】
【請求項１】
ベースと、レンズを保持したレンズ枠と、前記レンズ枠を光軸方向にガイドするべく前記ベースに固定されたガイドシャフトと、前記レンズ枠に固定されたナットと、光軸方向に伸長しかつ前記ナットに螺合する雄ネジ及び前記レンズ枠がその移動範囲の両側の移動端に位置するとき前記ナットと螺合しない非ネジ部をもつリードスクリューと、前記リードスクリューを回転駆動するべく前記ベースに固定された駆動源と、前記レンズ枠がその移動範囲の一方側の移動端に位置するとき前記ナットを前記雄ネジに螺合させ得るように付勢する第１付勢部材と、前記レンズ枠がその移動範囲の他方側の移動端に位置するとき前記ナットを前記雄ネジに螺合させ得るように付勢する第２付勢部材と、を備えたレンズ駆動装置であって、
前記第１付勢部材は、前記レンズ枠を光軸方向の一方向に向けて常時付勢するガタ寄せバネであり、
前記第２付勢部材は、前記レンズ枠が前記ガタ寄せバネの付勢力が弱まる他方側の移動端にあるとき、前記ガタ寄せバネの付勢力に対し対抗する向きにかつより大きい付勢力を及ぼすように形成され、
前記ガタ寄せバネは、前記ガイドシャフトの周りに配置されると共に前記ベースと前記レンズ枠の間に圧縮した状態で取り付けられたコイルバネであり、
前記第２付勢部材は、前記ナットと対向する領域において、一端が前記ベースに固定されかつ他端が前記レンズ枠に当接し得るように開放されたコイルバネである、
ことを特徴とするレンズ駆動装置。
【請求項２】
ベースと、レンズを保持したレンズ枠と、前記レンズ枠を光軸方向にガイドするべく前記ベースに固定されたガイドシャフトと、前記レンズ枠に固定されたナットと、光軸方向に伸長しかつ前記ナットに螺合する雄ネジ及び前記レンズ枠がその移動範囲の両側の移動端に位置するとき前記ナットと螺合しない非ネジ部をもつリードスクリューと、前記リードスクリューを回転駆動するべく前記ベースに固定された駆動源と、前記レンズ枠がその移動範囲の一方側の移動端に位置するとき前記ナットを前記雄ネジに螺合させ得るように付勢する第１付勢部材と、前記レンズ枠がその移動範囲の他方側の移動端に位置するとき前記ナットを前記雄ネジに螺合させ得るように付勢する第２付勢部材と、を備えたレンズ駆動装置であって、
前記第１付勢部材は、前記レンズ枠を光軸方向の一方向に向けて常時付勢するガタ寄せバネであり、
前記第２付勢部材は、前記レンズ枠が前記ガタ寄せバネの付勢力が弱まる他方側の移動端にあるとき、前記ガタ寄せバネの付勢力に対し対抗する向きにかつより大きい付勢力を及ぼすように形成され、
前記ガタ寄せバネは、前記リードスクリューの周りに配置されると共に前記ベースと前記レンズ枠の間に圧縮した状態で取り付けられたコイルバネであり、
前記第２付勢部材は、前記ナットと対向する領域において、一端が前記ベースに固定されかつ他端が前記レンズ枠に当接し得るように開放されたコイルバネである、
ことを特徴とするレンズ駆動装置。
【発明の詳細な説明】
【技術分野】
【０００１】
本発明は、レンズを光軸方向に駆動するレンズ駆動装置に関し、特に、駆動機構としてリードスクリュー及びナットを含み、記録媒体に対して情報の記録あるいは再生等に用いられる光ピックアップユニット等に搭載されるレンズ駆動装置に関する。
【背景技術】
【０００２】
従来、被駆動体を所定方向に往復駆動する駆動装置としては、被駆動体としての対物レンズを保持した可動ブロック、可動ブロックと一体的に移動するように形成されたナット、ナットと螺合するリードスクリュー、リードスクリューに連結されたギヤボックス、ギヤボックスに連結されたステッピングモータ等を備え、ステッピングモータが回転すると、ギヤボックスを介してリードスクリューが回転し、ナットがリードスクリューに沿って移動することにより、可動ブロック及び対物レンズが移動するように構成されたものが知られている（例えば、特許文献１参照）。
【０００３】
しかしながら、この駆動装置では、リードスクリューの全域に雄ネジが形成され、ナットの雌ネジは、可動ブロック（及び対物レンズ）の移動範囲の両端においても、リードスクリューの雄ネジと螺合するようになっている。
したがって、可動ブロックの移動範囲の両端を規制するべく可動ブロックが当接するストッパ等を採用し、又、可動ブロックのガタツキを規制するべく可動ブロックをリードスクリューの軸線方向に付勢するスプリング等を採用した場合、可動ブロックが移動端に達したとき、ナットとリードスクリューのロック（喰い付き）が生じ、ステッピングモータを逆転させても、そのロック状態が解除されない虞があった。
【０００４】
【特許文献１】特開平９−１３９８２１号公報
【発明の開示】
【発明が解決しようとする課題】
【０００５】
本発明は、上記の事情に鑑みて成されたものであり、その目的とするところは、構造の簡略化、部品点数の削減、小型化等を図りつつ、リードスクリュー及びナットを含む駆動機構によりレンズを光軸方向に移動させる際に、レンズのガタツキ等を抑えつつ、その移動範囲の両端においてリードスクリューとナットの喰い付きを防止し、円滑な駆動を行うことができるレンズ駆動装置を提供することにある。
【課題を解決するための手段】
【０００６】
本発明のレンズ駆動装置は、ベースと、レンズを保持したレンズ枠と、レンズ枠を光軸方向にガイドするべくベースに固定されたガイドシャフトと、レンズ枠に固定されたナットと、光軸方向に伸長しかつナットに螺合する雄ネジ及びレンズ枠がその移動範囲の両側の移動端に位置するときナットと螺合しない非ネジ部をもつリードスクリューと、リードスクリューを回転駆動するべくベースに固定された駆動源と、レンズ枠がその移動範囲の一方側の移動端に位置するときナットを雄ネジに螺合させ得るように付勢する第１付勢部材と、レンズ枠がその移動範囲の他方側の移動端に位置するときナットを雄ネジに螺合させ得るように付勢する第２付勢部材と、を備えたレンズ駆動装置であって、上記第１付勢部材は、レンズ枠を光軸方向の一方向に向けて常時付勢するガタ寄せバネであり、上記第２付勢部材は、レンズ枠がガタ寄せバネの付勢力が弱まる他方側の移動端にあるとき、ガタ寄せバネの付勢力に対し対抗する向きにかつより大きい付勢力を及ぼすように形成され、ガタ寄せバネは、ガイドシャフトの周りに配置されると共にベースとレンズ枠の間に圧縮した状態で取り付けられたコイルバネであり、第２付勢部材は、ナットと対向する領域において、一端がベースに固定されかつ他端がレンズ枠に当接し得るように開放されたコイルバネである、ことを特徴としている。
この構成によれば、駆動源によりリードスクリューが一方向に回転し、ナットを介して、レンズ枠がガイドシャフトにより光軸方向に案内されつつ移動範囲の一方側の移動端に至ると、ナット（の雌ネジ）とリードスクリュー（の雄ネジ）の螺合が解除されて、ナット（の雌ネジ）はリードスクリューの非ネジ部に対応する位置に移動する。このとき、第１付勢部材がレンズ枠に付勢力を及ぼして、ナット（の雌ネジ）をリードスクリューの雄ネジに近接させて螺合可能な状態に保持する。一方、駆動源によりリードスクリューが他方向に回転し、ナットを介して、レンズ枠が移動範囲の他方側の移動端に至ると、ナット（の雌ネジ）とリードスクリュー（の雄ネジ）の螺合が解除されて、ナット（の雌ネジ）はリードスクリューの非ネジ部に対応する位置に移動する。このとき、第２付勢部材がレンズ枠に付勢力を及ぼして、ナット（の雌ネジ）をリードスクリューの雄ネジに近接させて螺合可能な状態に保持する。
したがって、レンズ枠の移動端におけるリードスクリューとナットのロック（喰い付き）を防止することができると共に、リードスクリューの逆向きの回転により即座にナットをリードスクリューの雄ネジに螺合させることができ、円滑な駆動動作を得ることができる。
特に、第１付勢部材及び第２付勢部材のうち、第１付勢部材がレンズ枠のガタツキを防止するガタ寄せバネを兼ねるため、部品点数を削減でき、構造の簡略化、装置の小型化を達成することができ、又、レンズ枠がガタ寄せバネ（第１付勢部材）の付勢力が弱まる他方側の移動端に至ると、第２付勢部材としてのコイルバネがガタ寄せバネとしてのコイルバネの付勢力よりも大きい付勢力を及ぼして、螺合から解除されたナットを、リードスクリューの非ネジ部から雄ネジに向けて螺合可能に付勢した状態となり、ガタ寄せバネ（第１付勢部材）及び第２付勢部材が共にコイルバネであるため、レンズ枠の位置に応じた相互のバネ特性（バネ定数等）を所定の値に容易に設定することができる。
【００１１】
本発明のレンズ駆動装置は、ベースと、レンズを保持したレンズ枠と、レンズ枠を光軸方向にガイドするべくベースに固定されたガイドシャフトと、レンズ枠に固定されたナットと、光軸方向に伸長しかつナットに螺合する雄ネジ及びレンズ枠がその移動範囲の両側の移動端に位置するときナットと螺合しない非ネジ部をもつリードスクリューと、リードスクリューを回転駆動するべくベースに固定された駆動源と、レンズ枠がその移動範囲の一方側の移動端に位置するときナットを雄ネジに螺合させ得るように付勢する第１付勢部材と、レンズ枠がその移動範囲の他方側の移動端に位置するときナットを雄ネジに螺合させ得るように付勢する第２付勢部材と、を備えたレンズ駆動装置であって、上記第１付勢部材は、レンズ枠を光軸方向の一方向に向けて常時付勢するガタ寄せバネであり、上記第２付勢部材は、レンズ枠がガタ寄せバネの付勢力が弱まる他方側の移動端にあるとき、ガタ寄せバネの付勢力に対し対抗する向きにかつより大きい付勢力を及ぼすように形成され、ガタ寄せバネは、リードスクリューの周りに配置されると共にベースとレンズ枠の間に圧縮した状態で取り付けられたコイルバネであり、第２付勢部材は、ナットと対向する領域において、一端がベースに固定されかつ他端がレンズ枠に当接し得るように開放されたコイルバネである、ことを特徴としている。
この構成によれば、駆動源によりリードスクリューが一方向に回転し、ナットを介して、レンズ枠がガイドシャフトにより光軸方向に案内されつつ移動範囲の一方側の移動端に至ると、ナット（の雌ネジ）とリードスクリュー（の雄ネジ）の螺合が解除されて、ナット（の雌ネジ）はリードスクリューの非ネジ部に対応する位置に移動する。このとき、第１付勢部材がレンズ枠に付勢力を及ぼして、ナット（の雌ネジ）をリードスクリューの雄ネジに近接させて螺合可能な状態に保持する。一方、駆動源によりリードスクリューが他方向に回転し、ナットを介して、レンズ枠が移動範囲の他方側の移動端に至ると、ナット（の雌ネジ）とリードスクリュー（の雄ネジ）の螺合が解除されて、ナット（の雌ネジ）はリードスクリューの非ネジ部に対応する位置に移動する。このとき、第２付勢部材がレンズ枠に付勢力を及ぼして、ナット（の雌ネジ）をリードスクリューの雄ネジに近接させて螺合可能な状態に保持する。
したがって、レンズ枠の移動端におけるリードスクリューとナットのロック（喰い付き）を防止することができると共に、リードスクリューの逆向きの回転により即座にナットをリードスクリューの雄ネジに螺合させることができ、円滑な駆動動作を得ることができる。
特に、第１付勢部材及び第２付勢部材のうち、第１付勢部材がレンズ枠のガタツキを防止するガタ寄せバネを兼ねるため、部品点数を削減でき、構造の簡略化、装置の小型化を達成することができ、又、レンズ枠がガタ寄せバネ（第１付勢部材）の付勢力が弱まる他方側の移動端に至ると、第２付勢部材としてのコイルバネがガタ寄せバネとしてのコイルバネの付勢力よりも大きい付勢力を及ぼして、螺合から解除されたナットを、リードスクリューの非ネジ部から雄ネジに向けて螺合可能に付勢した状態となり、ガタ寄せバネ（第１付勢部材）及び第２付勢部材が共にコイルバネであるため、レンズ枠の位置に応じた相互のバネ特性（バネ定数等）を所定の値に容易に設定することができる。
さらに、ガタ寄せバネ（第１付勢部材）が、第２付勢部材としてのコイルバネと同軸上に配置されるため、レンズ枠に不要な回転モーメント等が作用することはなく、レンズ枠を円滑に移動させることができる。
【発明の効果】
【００１３】
上記構成をなすレンズ駆動装置によれば、構造の簡略化、部品点数の削減、小型化等を達成しつつ、レンズを光軸方向に移動させる際に、レンズ（レンズ枠）のガタツキ等を抑えつつ、その移動範囲の両端においてリードスクリューとナットの喰い付きを防止でき、円滑な駆動を行うことができる。
【発明を実施するための最良の形態】
【００１４】
以下、本発明の最良の実施形態について、添付図面を参照しつつ説明する。
図１ないし図４は、本発明に係るレンズ駆動装置の一実施形態を示すものであり、図１は装置の内部を示す平面図、図２は装置の一部を示す正面図、図３及び図４は装置の動作を説明する部分拡大図である。
【００１５】
このレンズ駆動装置は、図１及び図２に示すように、ベース１０、レンズＧを保持したレンズ枠２０、レンズ枠２０を光軸方向Ｌにガイドする２つのガイドシャフト３０，４０、レンズ枠２０に固定されて一体的に移動するナット５０、光軸方向Ｌに伸長しかつナット５０に螺合するリードスクリュー６０、リードスクリュー６０を回転駆動する駆動源としてのモータ７０、レンズ枠２０を光軸方向Ｌの一方向に付勢する付勢手段（及び第１付勢部材）としてのガタ寄せバネ８０、ナット５０と対向する領域に設けられた付勢手段（第２付勢部材）としてのコイルバネ９０、レンズ枠２０の位置を検出するセンサ１００等を備えている。
【００１６】
ベース１０は、樹脂材料等を用いて箱状に形成されており、図１及び図２に示すように、レンズＧを露出させる開口部１１ａ及びコイルバネ９０の一端部を受ける受け部１１ｂを画定する壁部１１、ガイドシャフト３０を固定すると共にガタ寄せバネ８０の一端を受ける受け部１２ａを画定する固定部１２、ガイドシャフト４０及びセンサ１００を固定する固定部１３、モータ７０を固定する壁部１４，１５等を備えている。
【００１７】
レンズ枠２０は、樹脂材料等を用いて形成されており、図１及び図２に示すように、レンズＧを保持する円筒部２１、円筒部２１から光軸方向Ｌに垂直な一方向及び他方向にそれぞれ延出する腕部２２，２３、腕部２２に一体的に形成されてガイドシャフト３０を摺動自在に嵌合させる嵌合孔２４ａを画定する円筒状の嵌合部２４、腕部２２に一体的に形成されてリードスクリュー６０を非接触にて挿通させる円孔２５ａを画定すると共にナット５０を回転不能に固定するナット固定部２５、腕部２３の先端に形成されてガイドシャフト４０を摺動自在に挿入させる略Ｕ字状の凹部２６ａを画定する嵌合部２６、腕部２３から光軸方向Ｌに延出して形成されセンサ１００により検出される被検出片２７等を備えている。
【００１８】
ガイドシャフト３０は、光軸方向Ｌに伸長すると共に円形断面をなすように剛性の高い金属材料等により形成されており、その両端がベース１０の壁部１１と固定部１２とに固定されている。そして、ガイドシャフト３０は、レンズ枠２０の嵌合部２４（の嵌合孔２４ａ）に摺動自在に嵌合されて、レンズ枠２０を光軸Ｌ方向にガイドするようになっている。
【００１９】
ガイドシャフト４０は、光軸方向Ｌに伸長すると共に円形断面をなすように剛性の高い金属材料等により形成されており、その両端がベース１０の壁部１１と固定部１３とに固定されている。そして、ガイドシャフト４０は、レンズ枠２０の嵌合部２６（のＵ字状の凹部２６ａ）に摺動自在に嵌合されて、レンズ枠２０を光軸Ｌ方向にガイドすると共に主としてレンズ枠２０がガイドシャフト３０の回りに回転するのを規制するようになっている。
【００２０】
ナット５０は、図１及び図２に示すように、金属材料等を用いて略扁平に形成され、その中央にリードスクリュー６０の後述する雄ネジ６１と螺合し得る雌ネジ５１、その外周縁部から径方向外側に突出しナット固定部２５の凹部２５ｂに回転不能に嵌め込まれる突起５２等を備えている。
そして、ナット５０は、突起５２が凹部２５ｂに嵌め込まれると共に、円孔２５ａと略同軸上に雌ネジ５１が位置付けられようにして、レンズ枠２０のナット固定部２５に回転不能にかつレンズ枠２０と光軸方向Ｌに一体的に移動するように取り付けられている。
【００２１】
リードスクリュー６０は、図１ないし図４に示すように、光軸方向Ｌに伸長すると共に、その略中央領域の所定範囲に亘って形成された雄ネジ６１、雄ネジ６１の一方側の終端に隣接して形成された非ネジ部６２、雄ネジ６１の他方側の終端に隣接して形成された非ネジ部６３等を備えている。
非ネジ部６２は、図３に示すように、レンズ枠２０がその移動範囲の一方側の移動端に位置するとき、リードスクリュー６０の雄ネジ６１がナット５０の雌ネジ５１と螺合しない状態を確保するものである。
非ネジ部６３は、図４に示すように、レンズ枠２０が移動範囲の他方側の移動端に位置するとき、リードスクリュー６０の雄ネジ６１がナット５０の雌ネジ５１と螺合しない状態を確保するものである。
そして、リードスクリュー６０は、その先端がベース１０の壁部１１に当接されると共にその他端がモータ７０に直結され、雄ネジ６１にナット５０（の雌ネジ５１）が螺合するようにして組み付けられている。
【００２２】
駆動源としてのモータ７０は、図１に示すように、その回転軸が光軸Ｌ方向に平行となるように、ベース１０の壁部１４，１５に固定されている。
ここでは、モータ７０としては、ステッピングモータが採用されるが、ＤＣモータ等であってもよい。
【００２３】
第１付勢部材としてのガタ寄せバネ８０は、図１ないし図４に示すように、圧縮型のコイルバネであり、レンズ枠２０の嵌合部２４の周りでかつガイドシャフト３０と同軸に配置され、ベース１０の受け部１２ａとレンズ枠２０の腕部２２（の端面）の間で所定の圧縮代に圧縮した状態で取り付けられている。そして、ガタ寄せバネ８０は、レンズ枠２０が移動範囲のいずれの位置にある場合でも、レンズ枠２０を光軸Ｌ方向の一方向（図１中の右向き）に常時付勢するように設定されている。
【００２４】
また、ガタ寄せバネ８０は、図３に示すように、レンズ枠２０が移動範囲の一方側（図１中の左側）の移動端に位置するとき、最も圧縮された状態となる。その結果、ガタ寄せバネ８０は、最も大きい付勢力にて、非ネジ部６２に位置するナット５０を雄ネジ６１に螺合させ得るように、すなわち、リードスクリュー６０が逆回転すると、ナット５０が即座に雄ネジ６１に螺合するように、レンズ枠２０及びナット５０を図３中の右向きに付勢している。
さらに、ガタ寄せバネ８０は、図４に示すように、レンズ枠２０が移動範囲の他方側（図１中の右側）の移動端に位置するとき、最も伸びた状態となる。その結果、ガタ寄せバネ８０の付勢力は、後述するコイルバネ９０が対抗する向きに及ぼす逆向きの付勢力よりも小さくなる。
【００２５】
第２付勢部材としてのコイルバネ９０は、図１ないし図４に示すように、圧縮型のコイルバネであり、ナット５０と光軸方向Ｌに対向する領域において、その一端９１がベース１０の受け部１１ｂに固定され、その他端９２がレンズ枠２０のナット固定部２５の端面に当接し得るように自由端として開放されている。
そして、コイルバネ９０は、レンズ枠２０が移動範囲の他方側の移動端にあるとき、すなわち、ガタ寄せバネ８０の付勢力が最も弱まる他方側の移動端にあるとき、レンズ枠２０（のナット固定部２５）が他端９２に当接して圧縮させられた状態となる。その結果、コイルバネ９０は、ガタ寄せバネ８０の付勢力に対抗する向きで、かつ、ガタ寄せバネ８０の付勢力よりも大きい付勢力を発生して、非ネジ部６３に位置するナット５０を雄ネジ６１に螺合させ得るように、すなわち、リードスクリュー６０が逆回転すると、ナット５０が即座に雄ネジ６１に螺合するように、レンズ枠２０及びナット５０を図４中の左向きに付勢している。
ここで、コイルバネ９０は、ナット５０が雄ネジ６１に螺合してレンズ枠２０が所定量だけ図４中の左向きに移動すると、その他端９２がレンズ枠２０（のナット固定部２５）から離脱して開放された状態となるように形成されている。
【００２６】
センサ１００は、投光素子及び受光素子をもつ透過型の光センサであり、図１及び図２に示すように、ベース１０の固定部１３に固定されている。そして、センサ１００は、レンズ枠２０の被検出片２７と協働して（すなわち、被検出片２７が投光素子から受光素子に向けて発射された検出光を遮るタイミングにより）、レンズ枠２０の位置を検出するものである。
【００２７】
次に、この駆動装置の動作について、図１、図３及び図４を参照しつつ説明する。
先ず、図１に示すように、ナット５０がリードスクリュー６０に螺合して、レンズ枠２０が移動範囲の途中に位置するとき、ガタ寄せバネ８０は所定レベルの付勢力にて図１中の右向きにレンズ枠２０及びナット５０を付勢している。したがって、レンズ枠２０（及びレンズＧ）のガタツキが防止される。
【００２８】
次に、モータ７０が起動して、リードスクリュー６０が一方向に回転すると、ナット５０を介して、図３に示すように、レンズ枠２０が移動範囲の一方側の移動端に至り、ナット５０（の雌ネジ５１）とリードスクリュー６０（の雄ネジ６１）の螺合が解除されて、ナット５０（の雌ネジ５１）はリードスクリュー６０の非ネジ部６２に対応する位置に移動する。このとき、ガタ寄せバネ８０は最も圧縮された状態となり最大の付勢力をレンズ枠２０に及ぼして、ナット５０（の雌ネジ５１）をリードスクリュー６０の雄ネジ６１に近接させて螺合可能な状態に保持する。
【００２９】
続いて、モータ７０が逆向きに起動して、リードスクリュー６０が他方向に回転し始めると、非螺合状態にあったナット５０は即座に雄ネジ６１に螺合し、レンズ枠２０は、ナット５０を介して移動範囲の他方側に向けて移動する。
この移動中には、ガタ寄せバネ８０の付勢力が作用しているため、レンズ枠２０（及びレンズＧ）のガタツキが防止される。
【００３０】
そして、リードスクリュー６０がさらに同一方向に回転して、図４に示すように、レンズ枠０が移動範囲の他方側の移動端に至ると、ナット５０（の雌ネジ５１）とリードスクリュー６０（の雄ネジ６１）の螺合が解除されて、ナット５０（の雌ネジ５１）はリードスクリュー６０の非ネジ部６３に対応する位置に移動する。このとき、ガタ寄せバネ８０は最も伸びて付勢力が最も弱まった状態になると共に、コイルバネ９０の他端９２がレンズ枠２０（のナット固定部２５）に当接して圧縮され、この圧縮されたコイルバネ９０がレンズ枠２０に対して、ガタ寄せバネ８０の付勢力に対し対抗する向きでかつより大きい付勢力を及ぼすようになり、ナット５０（の雌ネジ５１）をリードスクリュー６０の雄ネジ６１に近接させて螺合可能な状態に保持する。
【００３１】
この状態から、モータ７０が逆向きに起動して、リードスクリュー６０が一方向に回転し始めると、非螺合状態にあったナット５０は即座に雄ネジ６１に螺合し、レンズ枠２０は、ナット５０を介して移動範囲の一方側に向けて移動し始め、所定量移動した時点で、コイルバネ９０の他端９２はレンズ枠２０から離れて開放されると同時にコイルバネ９０の付勢力は作用しなくなる。
この移動中には、ガタ寄せバネ８０の付勢力が作用しているため、レンズ枠２０（及びレンズＧ）のガタツキが防止される。
【００３２】
このように、レンズ枠２０が移動範囲の両側の移動端に位置するときナット５０がリードスクリュー６０と螺合しないようにし、かつ、移動端から戻るときナット５０がリードスクリュー６０に即座に螺合し得るように形成したことにより、雄ネジ６１及び雌ネジ５１の喰い付きが防止されて、円滑な駆動動作を得ることができる。
【００３３】
また、レンズ枠２０が両側の移動端に位置するとき、一つの付勢部材によるのではなく、第１付勢部材（ガタ寄せバネ８０）及び第２付勢部材（コイルバネ９０）が、それぞれの移動端にて非螺合状態にあるナット５０をリードスクリュー６０と螺合可能な状態に保持するため、雄ネジ６１及び雌ネジ５１の喰い付きを確実に防止しつつ、より円滑な駆動動作を得ることができる。
また、第１付勢部材８０（ガタ寄せバネ）及び第２付勢部材９０が共にコイルバネであるため、レンズ枠２０の位置に応じた相互のバネ特性（バネ定数等）を所定の値に容易に設定することができる。
さらに、付勢手段を構成する第１付勢部材及び第２付勢部材のうち、第１付勢部材がレンズ枠２０（及びレンズＧ）のガタツキを防止するガタ寄せバネ８０を兼ねるため、部品点数を削減でき、構造の簡略化、装置の小型化を達成することができる。
【００３４】
図５は、本発明に係るレンズ駆動装置の他の実施形態を示す平面図であり、第２付勢部材を変更した以外は前述の実施形態と同一であるため、同一の構成については同一の符号を付してその説明を省略する。
すなわち、この装置においては、第２付勢部材として、図５に示すように、ナット５０と対向する領域において、一端９１´がベース１０の受け部１１ｂに固定されかつ他端９２´がレンズ枠２０（のナット固定部２５の端面）に当接し得るように開放された弾性変形可能な樹脂部材９０´が採用されている。
樹脂部材９０´は、圧縮量に応じて伸長する向きに弾性力（付勢力）を及ぼすゴム部材又はそれに類する弾性変形可能な金属以外の樹脂製部材等である。
【００３５】
これによれば、第２付勢部材が弾性変形可能な樹脂部材９０´であるため、ベース１０上の許容スペース又は要求される付勢力に合わせて、その形状を自由にモールド等により成型して設定することができ、バネ特性（バネ定数等）を所定の値に容易に設定することができる。
また、この実施形態においても、構造の簡略化、部品点数の削減、小型化等を達成しつつ、レンズ枠２０（及びレンズＧ）のガタツキ等を抑えつつ、その移動範囲の両端においてリードスクリュー６０とナット５０の喰い付きを防止でき、レンズ枠２０を円滑に駆動することができる。
【００３６】
図６は、本発明に係るレンズ駆動装置のさらに他の実施形態を示す平面図であり、ガタ寄せバネ８０の配置場所及びそれに付随する部分を変更した以外は、図１に示す実施形態と同一であるため、同一の構成については同一の符号を付してその説明を省略する。
すなわち、図６に示すように、この装置において、ベース１０´には、壁部１４にガタ寄せバネ８０´の一端を受ける受け部１４ａが形成されている。
そして、第１付勢部材としてのガタ寄せバネ８０´が、リードスクリュー６０の周りに配置されると共に、ベース１０´の受け部１４ａとレンズ枠２０のナット固定部２５の間に圧縮した状態で取り付けられている。
これによれば、ガタ寄せバネ（第１付勢部材）８０´が、第２付勢部材としてのコイルバネ９０と同軸上に配置されるため、レンズ枠２０に不要な回転モーメント等が作用するのを防止でき、レンズ枠２０を円滑に移動させることができる。
また、この実施形態においても、構造の簡略化、部品点数の削減、小型化等を達成しつつ、レンズ枠２０（及びレンズＧ）のガタツキ等を抑えつつ、その移動範囲の両端においてリードスクリュー６０とナット５０の喰い付きを防止でき、レンズ枠２０を円滑に駆動することができる。
【００３７】
上記実施形態においては、付勢手段として第１付勢部材（ガタ寄せバネ８０，８０´）及び第２付勢部材（コイルバネ９０）を採用した場合を示したが、これに限定されるものではなく、光軸方向に略垂直な方向に伸長する一つの板バネあるいはコイルバネ等を採用し、その一端がレンズ枠の移動範囲の略中間においてベースに固定されかつその他端がレンズ枠に連結され、レンズ枠が移動範囲の両端側に近づくと変形量が増加してレンズ枠を中央に引き戻そうとする付勢力を及ぼすようなもの採用してもよい。
また、上記実施形態においては、第１付勢部材としてガタ寄せバネ８０，８０´を兼用する構成を示したが、これに限定されるものではなく、ガタ寄せバネとは別個に第１付勢部材を設ける構成を採用してもよい。
【００３８】
上記実施形態においては、図６に示すようにリードスクリュー６０の同軸上において、第１付勢部材としてのガタ寄せバネ８０´及び第２付勢部材としてのコイルバネ９０を配置する構成を示したが、これに限定されるものではなく、第１付勢部材としてガタ寄せバネ８０´及び第２付勢部材として図５に示すような弾性変形可能な樹脂部材９０´を配置する構成を採用してもよい。
【産業上の利用可能性】
【００３９】
以上述べたように、本発明のレンズ駆動装置は、構造の簡略化、部品点数の削減、小型化等を達成しつつ、又、レンズ（レンズ枠）のガタツキ等を抑えつつ、リードスクリューとナットの喰い付きを防止できるため、光ピックアップユニット等に搭載されるレンズ駆動装置として適用できるのは勿論のこと、レンズの駆動に限らず、リードスクリュー及びナットを含む駆動機構をもつものであれば、その他の被駆動体を駆動する分野においても有用である。
【図面の簡単な説明】
【００４０】
【図１】本発明に係るレンズ駆動装置の一実施形態を示す装置内部の平面図である。
【図２】本発明に係るレンズ駆動装置の一実施形態を示す部分正面図である。
【図３】図１に示すレンズ駆動装置の部分拡大図である。
【図４】図１に示すレンズ駆動装置の部分拡大図である。
【図５】本発明に係るレンズ駆動装置の他の実施形態を示す装置内部の平面図である。
【図６】本発明に係るレンズ駆動装置のさらに他の実施形態を示す装置内部の平面図である。
【符号の説明】
【００４１】
１０，１０´  ベース
２０  レンズ枠
２２，２３  腕部
２４，２６  嵌合部
２５  ナット固定部
２７  被検出片
３０，４０  ガイドシャフト
５０  ナット
５１  雌ネジ
５２  突起
６０  リードスクリュー
６１  雄ネジ
６２，６３  非ネジ部
７０  モータ（駆動源）
８０，８０´  ガタ寄せバネ（第１付勢部材、付勢手段）
９０  コイルバネ（第２付勢部材、付勢手段）
９０´  弾性変形可能な樹脂部材（第２付勢部材、付勢手段）
９１，９１´  一端
９２，９２´  他端
１００  センサ
【図１】
0004781848.tif 000002
【図２】
0004781848.tif 000003
【図３】
0004781848.tif 000004
【図４】
0004781848.tif 000005
【図５】
0004781848.tif 000006
【図６】
0004781848.tif 000007